(57)【要約】  変調器および装置であって、変調器は複数の個々の変調器部分と共に配置した調整可能回折格子（ＴＤＧ）要素と適当な色フィルタおよび偏光フィルタを持つプリズムとを含み、少なくとも２つの独立の重なる二次元映像を生成して、三次元映像のための立体ディスプレイを形成する。
2010511913.tif 000002
【特許請求の範囲】
【請求項１】
ユーザが光学フィルタを通して見る三次元映像をライン・スキャニング投影システムで生成するための変調器デバイスであって、複数の個々の電極のグループを有して内部に複数の個々の変調器部分を形成する調整可能回折格子（ＴＤＧ）要素（４）を含み、更に、
プリズムであって、入射光（１，５，７，１６）をその成分に分離する反射要素（２，６，８，１７）に向けて入射光を導き、前記入射光の分離から生じる各成分をＴＤＧ要素（４）の対応する変調部分に向けて前記プリズムにより導き、前記プリズムを通して前記変調器デバイスから導く各回折光ビームの角度を各電極グループ内の各電極に印加した電圧により制御して、偏光分離または色分離、または偏光分離と色分離とを共に行うプリズム、
を含む、変調器デバイス。
【請求項２】
前記分離は偏光フィルタのスタックにより行う、請求項１記載の変調器デバイス。
【請求項３】
前記分離は色フィルタのスタックにより行う、請求項１記載の変調器デバイス。
【請求項４】
前記分離は色フィルタおよび偏光フィルタのスタックにより行う、請求項１記載の変調器デバイス。
【請求項５】
前記変調器デバイスは１個のレーザ光源からの入射光（１）を反射して２つの別々の偏光ビーム（１ｓ，１ｐ）に分離する１個の偏光フィルタ（２）と共に配置し、各ビーム（１ｓ，１ｐ）の偏光状態は互いに直交し、反射ビーム（１ｓ，１ｐ）は１つの反射ビームの（１ｓ）を変調する変調器部分（３ｓ）と別の反射ビーム（１ｐ）を変調する別の変調器部分（３ｐ）とを含む変調器要素（４）に向けて前記プリズムにより導き、変調器部分（３ｓ，３ｐ）毎に対応するそれぞれの電極グループに印加した電圧は前記プリズムを通して前記変調器デバイスから導く前記回折光ビームの角度を制御する、請求項１記載の変調器デバイス。
【請求項６】
前記変調器デバイスは１個の赤色、１個の緑色、１個の青色のレーザ光源からの入射光（５）を反射して分離する色偏光フィルタのスタック（６）と共に配置し、前記赤色レーザ光は互いに直交する偏光状態を持つ２本の別々の偏光ビーム（５Ｒｓ，５Ｒｐ）に分離し、前記緑色レーザ光は互いに直交する偏光状態を持つ２本の別々の偏光ビーム（５Ｇｓ，５Ｇｐ）に分離し、前記青色レーザ光は互いに直交する偏光状態を持つ２本の別々の変調ビーム（５Ｂｓ，５Ｂｐ）に分離し、前記反射ビーム（５Ｒｓ，５Ｒｐ，５Ｇｓ，５Ｇｐ，５Ｂｓ，５Ｂｐ）は対応する反射光ビームをそれぞれ変調する６個の変調器部分（３Ｒｓ，３Ｒｐ，３Ｇｓ，３Ｇｐ，３Ｂｓ，３Ｂｐ）を含む変調器要素（４）に向けて前記プリズムにより導き、前記プリズムは前記変調器デバイスから出るそれぞれの回折光ビームを各変調器部分（３Ｒｓ，３Ｒｐ，３Ｇｓ，３Ｇｐ，３Ｂｓ，３Ｂｐ）内の電極に印加した電圧により制御する角度で前記プリズムを通して導く、請求項１記載の変調器デバイス。
【請求項７】
前記変調器デバイスは異なる波長を持つ６本の同軸に整列したレーザからの入射光（７）を反射して分離する色フィルタのスタック（８）と共に配置し、前記入射光（７）は２つの赤、２つの緑、２つの青のレーザ光源を含み、前記色フィルタのスタック（８）は異なる波長を持つ６本の反射光ビーム（７Ｒ１，７Ｒ２，７Ｇ１，７Ｇ２，７Ｂ１，７Ｂ２）を生成し、前記プリズムは前記６本の反射光ビームをＴＤＧ変調器要素（４）内の６個の独立の変調器部分に向けて導き、前記ＴＤＧ変調器要素内の前記各変調器部分内の電極に印加した電圧は前記プリズムを通して前記変調器デバイスから出る前記回折光ビームの角度を制御し、前記回折光ビームは２つの別々の重なる二次元映像として光学素子により配置する、請求項１記載の変調器デバイス。
【請求項８】
前記変調器デバイスは２つの赤、２つの緑、２つの青の異なる波長を持つ同軸に整列したレーザ・ビームを反射する色および偏光フィルタのスタック（１７）と共に配置し、フィルタのスタック（１７）は１２本の別々のビームを生成し、各ビームは波長および偏光状態の特有の組合せを有し、前記プリズムは前記１２本の反射ビームを１２個の独立の変調器部分を含むＴＤＧ変調器デバイス（４）に向けて導き、前記各１２個の変調器部分内の電極への電圧は前記プリズムを通して前記変調器デバイスから出る回折光ビームの角度を制御し、前記回折光ビームは２つの異なる三次元映像を含む４つの別々の重なる二次元映像として光学素子により配置する、請求項１記載の変調器デバイス。
【請求項９】
前記変調器デバイスから出る前記回折光ビームの角度は各変調器部分内の電極の配置により制御する、請求項１から５のいずれか一項記載の変調器デバイス。
【請求項１０】
前記変調器デバイスは単一の集積電子要素として形成する、先行請求項のいずれか一項記載の変調器デバイス。
【請求項１１】
請求項５，６，７または８記載の変調器デバイス（１１）を含むライン・スキャニング投影システムで三次元映像を生成する装置であって、前記装置は２個の二色性フィルタ（９Ｒ，９Ｂ）を含み、３つの異なるレーザ色（赤、緑、青）を同軸に整列させ、次にビーム成形リレー光学素子（１０）を通してこれを変調器デバイス（１１）に向けて導き、変調器デバイス（１１）は前記ビームをその色および偏光成分に分離し、前記異なるビームを個々に変調し、次に前記ビームを投影光学素子（１２）に向けて導き、投影光学素子（１２）の後のシュリーレン・ストップ（１３）は変調器デバイス（１１）内の前記変調器部分からの望ましくない回折次数をフィルタリングして除いた後、前記光ビームは直交する偏光特性を持つ複数の二次元映像のオーバーレイを偏光保持スクリーン（１５）上にスキャニング・ミラー（１４）を介して形成する、三次元映像を生成する装置。
【請求項１２】
前記同軸整列はＸプリズムにより行う、請求項１１記載の三次元映像を生成する装置。
【発明の詳細な説明】
【技術分野】
【０００１】
本発明はライン・スキャニング投影ディスプレイ・システムに関するものであって、特に、調整可能回折格子（ＴＤＧ）素子と、一構成要素として埋め込まれた光源の異なる色および／または偏光状態を分離し、再結合し、または分離／再結合するための特殊設計のプリズムとを持つ変調器を含む、三次元映像を生成するライン・スキャニング投影システムに関する。
【背景技術】
【０００２】
近年、映像プロジェクタ、特にディジタル・プロジェクタは、聴衆に種々の情報を提示する手段として広く用いられるようになった。一般にかかるプロジェクタはコンピュータが作成した映像を平面上に投影するのに用いられる。映像プロジェクタにより、ユーザは種々の人数の聴衆に質の高い映像を容易に提示することができる。そのため、かかるプロジェクタは会議室やその他の会合設備の常備品になっていることが多い。
普通の映像プロジェクタが投影する映像は視聴者には一般に平らで二次元に見え、映像の被写界深度以外の深さを表現しない。かかる表現（ｒｅｐｒｅｓｅｎｔａｔｉｏｎ）は多くの応用に適しているかもしれないが、場合によっては、映像の深さや質感などの特徴を普通の二次元の表現よりも一層強調したいことがある。
【０００３】
三次元映像を生成する方式はすでにいくつかある。例えば、映像を立体的に表現することにより映像の二次元表現を深く見えるようにすることができる。かかる映像は別々の、左目の映像と右目の映像とを重ね合わせた映像を含み、人の左右の目が離れているために左目と右目による三次元物体の見え方がわずかに異なるのをまねている。一般に光学フィルタであるメガネを人がかけて、左目の映像が人の右目に見えず、また右目の映像が左目に見えないようにして、左目の映像と右目の映像とをそれぞれ提示する。
【０００４】
例えば、会議室で別々の投影システムを用いて左目の映像と右目の映像とをそれぞれ投影することにより、立体映像を提示することができる。かかるシステムは立体映像を形成するには便利であるが、システムの価格と重さが１台のプロジェクタに比べてかなり大きくなる。また、２台のプロジェクタを用いると光学的な調整が難しくて時間がかかることがある。またかかるシステムは、２台分のシステムの重さと大きさのために場所の移動がそれだけ困難であり、また場所を変えると映像の調整が難しいという問題がある。
【０００５】
従来技術の三次元映像システムの別の例では１台のプロジェクタを用い、プロジェクタとスクリーンとの間に能動偏光シートを置く。偏光シートは１つおきの映像フレームを逆方向に循環的に偏光させる。偏光メガネをかけた人の右目と左目はそれぞれ１つおきのフレームを見るので、スクリーン上には立体三次元映像が見える。しかし偏光シートは光の一部を吸収するので光の効率が低下する。また、１つおきのフレームを異なる目に表示すると、映像がちらついたりアーチファクト（ａｒｔｉｆａｃｔｓ）が混ざったりする。また、このディスプレイ変調器の応答は２台プロジェクタ構成に用いる変調器の応答の２倍の速さでなければならない。なぜなら、１台のプロジェクタ映像のリフレッシュ速度は２倍速くなければならないからである。
【０００６】
光源としてレーザを用いる立体プロジェクタは現在のプロジェクタより色の領域がはるかに大きいので、より自然な飽和色を持つ映像を生成することができる。ＥＰ０２１１５９６Ａは、６１０ｎｍの赤色レーザ（２３）と、５１４ｎｍの緑色レーザ（２４）と、４７６ｎｍの青色レーザ（２５）を含む立体映像を生成する装置を開示している。レーザ（２３，２４，２５）からの光は第１の組の音響変調器（２６，２７，２８）で１つの０次光ビームと２つの１次光ビームで変調する。第１の組の音響変調器（２６，２７，２８）を調整して、全ての原色について等しい０次光ビームに対して１次光ビームが或る発射角を有するようにする。第１の組のレンズ（３０，３１，３２）は、回折しなかった光について、第１の組の光音響変調器（２６，２７，２８）からの光を第２の組のレンズ（３６，３７，３８）と一組のストッパ（３３，３４，３５）とに向ける。
【０００７】
第２の組のレンズ（３６，２７，３８）はビーム・スキャナ（５２）の直前の点に光を集束させる。第２のレンズ（３６）からの光ビーム（３９，４０）は偏光ロータ（４１）を通した後、偏光スプリッタ（４２）を通す。第１の組の偏光（４３，４４）は第２の光電変調器（４７）で変調し、また、第１の組の偏光に対して直交偏光する第２の組の偏光（４５，４６）は、反射器（４８）により第３の光電変調器（４９）に向けて反射する。ミラー（５０，５１，５３）は光（４３，４４，４５，４６）を集め、集めた光を第１のスキャナ（５２）に向け、更に投影システムを通す。ユーザはそれぞれの目のための異なる偏光フィルタを持つメガネを通して映像を見ることができる。偏光は装置内に導入された偏光に対応する。
【０００８】
ＧＢ２２６５０２４Ａは、第１の透過層（１）と、第１の透過層（１）の内側から或る距離（６）にある第２の変形可能層（５）とを含む変調器を開示している。第１の透過層（１）の上にプリズム（９）がある。変形可能層（５）は信号を与えると変形する。
ＵＳ２００４／０００８９２８Ａは、異なる波長を持つ光（２６’）を入射光ビーム（２６）から分離する装置（１０）を開示している。基板（１２）は層構造（１４）を有し、層構造（１４）の各部分は異なる光学的機能を有して、偏光の分離および制御を行う。
ＷＯ／９０／０３０８６Ａは、ライン・スキャニング投影システムで立体映像を再生する装置（１）を開示している。この装置は、偏光フィルタを有する分離ユニット（６）を持つ多数の視界（５）を含む。各分離ユニットの前に両側ディスプレイ（１４）がある。
【先行技術文献】
【特許文献】
【０００９】
【特許文献１】ＥＰ０２１１５９６Ａ
【特許文献２】ＧＢ２２６５０２４Ａ
【特許文献３】ＵＳ２００４／０００８９２８Ａ
【特許文献４】ＷＯ／９０／０３０８６Ａ
【特許文献５】ノルウェー特許出願第２００５４８３４号
【発明の概要】
【発明が解決しようとする課題】
【００１０】
要約すると、投影ディスプレイで立体映像を生成するこれまでの方法は一般に、複雑で高価な多重光路システムを用いるものか、輝度が不十分で応答時間が長い単一チップを用いるものである。
したがって、色の領域が広くてちらつきがない映像を作って表示するための、簡単な低コストの立体投影システムが必要である。
従来技術では、三次元の立体投影を行うのに単一パネルＤＭＤ（ディジタル・マイクロミラー・デバイス）システムを用いている。この場合は、それぞれの目毎の個々の左／右フレームを逐次に表示する。プロジェクタと同期するシャッター機能を持つメガネをユーザがかけると、プロジェクタが「左目フレーム」を表示するときだけ左目は表示された映像を見ることができる。右目の場合も同様である。
【００１１】
しかし、かかる方法ではプロジェクタ・ディスプレイ変調器および電子回路は２倍以上の帯域幅が必要である。なぜなら、ちらつくアーチファクトを避けるにはフレーム速度は「モノスコープ」映像の速度の２倍が必要であり、したがって実際には現在のＤＭＤ要素技術では、例えばフル（ｆｕｌｌ）ＨＤＴＶ解像度をフル８ビット以上のグレイスケール解像度で表示することはできない。
従来技術の別の例では、立体写真の左目と右目の分離と単一パネルＤＭＤシステムとを組み合わせて用いる。見る人は一致するカラーバンドを持つメガネをかける。しかし白色光源では輝度効率が非常に低い。このシステムは逐次操作モードなのでディスプレイ変調器および駆動電子回路の応答速度を非常に速くする必要があり、これはグレイスケール解像度にとっては制限されたビット深度を意味する。
【００１２】
従来技術の別の例では２個のＬＣＯＳ（Ｌｉｑｕｉｄ  Ｃｒｙｓｔａｌ  Ｏｎ  Ｓｉｌｉｃｏｎ）ディスプレイを用い、左目と右目のそれぞれの分離をシステムの視聴者側の受動偏光フィルタを持つメガネで行い、これらのフィルタの方向とプロジェクタからの左／右出力とを一致させる。なぜなら、両方のＬＣＯＳ変調器への入射光の偏光は直交して偏光するからである。
この場合、色および輝度の均一度と熱安定性、ならびに２つのディスプレイからの偏光の分離／再結合は非常に重要である。これは光学システムが複雑であることを意味する。応答速度も問題である。なぜなら、各ＬＣＯＳ変調器は所定のフレーム速度内でフルＲＧＢ色フレームを表示しなければならないからである。
【課題を解決するための手段】
【００１３】
本発明の或る態様では、偏光、カラーバンド、またはこれらの組合せにより分離する、単一チップの三次元映像を作るシステムを提供する。
本発明の実施の形態の好ましい一例では、調整可能回折格子（ＴＤＧ）、特にノルウェー特許出願第２００５４８３４号に記述されている格子を用いる。この調整可能回折格子の動作原理は、等しい光学的および機能的特性を持つ薄いゲル層または膜の表面変調による光回折に基づく。かかる変調器の基本原理は周知であり、６０年以上前のアイドフォー（Ｅｉｄｏｐｈｏｒ）プロジェクトの導入以来、投影応用に用いられている。
【００１４】
本発明の実施の形態の一例では、特殊設計のプリズムを分離および再結合に用い、または与えられる光源からの異なる色および／または偏光状態のための結合された分離／再結合素子として用いる。この方式は単一の要素で形成される。光源からの個々の色および／または偏光状態は単一のＴＤＧ表面上の個々の変調器部分に向けて導く。変調器の一部としてプリズムを用いることにより、必要な心合わせ調整はごくわずかであり、またシステムは非常にコンパクトになる。
【００１５】
本発明の一態様では、この概念により光学システムが簡単になり、また製品組立てプロセスのコスト、困難さ、投資が減少する。
本発明の別の態様では、多チップ方式に比べてシステムの複雑さおよびコストが少なく、現在の単一チップ方式ほど高い応答速度が必要でなく、リフレッシュ速度が向上するなどの利点があるが、これらに限定されるものではない。
本発明の別の態様では、偏光および色の分離を組み合わせて用いることにより立体映像を作ることができる。この特性の効果として、例えばプレゼンタが聴衆より多くの映像内容にアクセスすることができる「プレゼンタ・モード」にすることにより、個々の映像を異なる聴衆のグループに提示することができる。
【図面の簡単な説明】
【００１６】
【図１】偏光分離に基づく本発明に係る変調器デバイスの実施の形態の一例を示す。
【図２】偏光分離に基づく本発明に係る変調器デバイスの実施の形態の別の例を示す。
【図３】図２に係る変調器設計を含む色投影システムの実施の形態の一例を示す。
【図４】色分離に基づく本発明に係る変調器デバイスの実施の形態の別の例を示す。
【図５】色および偏光の分離に基づく本発明に係る変調器デバイスの実施の形態の別の例を示す。
【発明を実施するための形態】
【００１７】
本発明の一態様は、ゲル、膜、またはポリマなどから或る機能的距離にある一組の電極を含むＴＤＧ変調器を用いる。電極に適当な電圧を印加するとゲルまたは膜などの表面に回折格子が形成される。かかるＴＤＧ変調器の特徴の１つは、複数のグループの独立の電極をゲルまたは膜から或る機能的距離に挿入して、個々の電極のグループの上にあるゲルまたは膜の表面の種々の部分に入射する光をそれぞれ個々に回折させることである。したがって、本発明の実施の形態の一例では、入射する光ビーム（例えば、レーザ）を分離して偏光させ、次にこの偏光ビームをＴＤＧ要素のゲルまたは膜の表面のそれぞれの部分に向けて導くことにより、左目と右目の映像をそれぞれ変調することができる。例えば、変調器の前および／または変調器の後に配置する光学素子は、三次元投影システムを形成するのに必要なデバイスである。本発明の一態様では、かかる変調器は単一チップ要素として配置することができる。
【００１８】
図１は、偏光分離に基づく本発明に係る変調器デバイスの単一チップの実施の形態の一例を示す。レーザ光１が変調器プリズム上に入射する。この光は偏光フィルタ２で反射する。偏光フィルタ２はビームを２つの別々の偏光ビーム（１ｓおよび１ｐ）に分離し、その個々の偏光状態は互いに直交する。各ビームは単一ＴＤＧ変調器表面４の別々の変調部分に入射する。電極３ｓおよび３ｐに印加した電圧から得られる異なる格子パターンにより、回折レーザ光ビームの角度をそれぞれ制御することができる。当業者に周知のように適当な光学素子を通してこの回折光を見ることにより三次元効果が得られる。
【００１９】
図２は偏光分離に基づく本発明に係る単一チップ変調器デバイスの実施の形態の別の例を示す。赤、緑、青のレーザ光５が変調器プリズムに入射する。この光は偏光色フィルタ２のスタックで反射する。反射の結果、入射光５は６本の別々のビーム４Ｒｓ，４Ｒｐ，４Ｇｓ，４Ｇｐ，４Ｂｓ，４Ｂｐに分離する。各ビームは波長と偏光状態の特有の組合せにより特徴付けられる。各波長の偏光状態は互いに直交する。次に各ビームはＴＤＧ変調器表面４の別々の変調部分に入射する。当業者に周知のように、電極３Ｒｓ，３Ｒｐ，３Ｇｓ，３Ｇｐ，３Ｂｓ，３Ｂｐに印加した電圧から得られる異なる格子パターンにより、回折レーザ光ビームの角度をそれぞれ制御することができる。図３は、図２に示す変調器を含む本発明に係る三次元ディスプレイ・システムの一例を示す。
【００２０】
図３において、異なるレーザ色Ｒ、Ｇ、Ｂ（赤、緑、青）を２個の二色性フィルタ９Ｒ，９Ｇの助けにより同軸に整列させ（このように整列させるのに、例えば、Ｘプリズムなどの別の要素を用いてもよい）、ビーム成形リレー光学素子（全ての色に共通）１０を通して変調器１１に導く。変調器１１はこのビームをその色および偏光成分に分離し、異なるビームを個々に変調した後、投影光学素子１２に向けて導く。シュリーレン・ストップ（ｓｃｈｌｉｅｒｅｎ  ｓｔｏｐ）１３を用いて望ましくない回折次数（ｄｉｆｆｒａｃｔｉｏｎ  ｏｒｄｅｒｓ）をフィルタリングし、スキャニング・ミラー１４を用いて、直交偏光特性を持つ２つの二次元映像のオーバーレイを偏光保持スクリーン１５上に生成する。
【００２１】
人が受動偏光メガネをかけて見ると三次元映像が作られる。メガネの個々のガラスは互いに直交する透過光を偏光させ、変調器内の偏光スタックに関して、１つの投影された映像からの光は人の左目だけに入り、別の投影された映像からの光は人の右目だけに入るように構成する。当業者に周知のように、右目の映像とは異なる映像を左目が見ると、立体効果により三次元映像が作られる。
【００２２】
図４は、色分離に基づく本発明に係る変調器デバイスの実施の形態の別の例を示す。異なる波長を持つ６本の同軸に整列したレーザ・ビーム（赤２本、緑２本、青２本）７が変調器プリズムに入射する。この光は色フィルタ８のスタックで反射する。反射の結果、入射光７は異なる波長を持つ６本の別々のビーム７Ｒ１，７Ｒ２，７Ｇ１，７Ｇ２，７Ｂ１，７Ｂ２に分離する。次に各ビームは単一ＴＤＧ変調器表面４の別々の変調部分に入射する。電極３Ｒ１，３Ｒ２，３Ｇ１，３Ｇ２，３Ｂ１，３Ｂ２に印加した電圧から得られる異なる格子パターンにより、別々の（または、異なる）波長の回折レーザ光ビームの角度を制御することができる。
【００２３】
図３に示す投影システムの場合と同様の投影光学素子を用いて、２つの重なる二次元映像をスクリーン上に投影する。人が受動フィルタリング・メガネをかけて見ると三次元映像が作られる。メガネの個々のガラスは異なる波長を通すので、右目（例えば）は色７Ｒ１、７Ｇ１、７Ｂ１で作られる映像を見、左目（例えば）は色７Ｒ２、７Ｇ２、７Ｂ２で作られる映像を見る。当業者に周知のように、右目の映像とは異なる映像を左目が見ると、立体効果により三次元映像が作られる。
【００２４】
図５は、色および偏光分離に基づく本発明に係る変調器デバイスの実施の形態の別の例を示す。異なる波長を持つ６本の同軸に整列したレーザ・ビーム（赤２本、緑２本、青２本）１６が変調器プリズムに入射する。この光は色および偏光フィルタ１７のスタックで反射する。反射の結果、入射光１６は１２本の別々のビーム１６Ｒ１ｓ，１６Ｒ１ｐ，１６Ｇ１ｓ，１６Ｇ１ｐ，１６Ｂ１ｓ，１６Ｂ１ｐ，１６Ｒ２ｓ，１６Ｒ２ｐ，１６Ｇ２ｓ，１６Ｇ２ｐ，１６Ｂ２ｓ，１６Ｂ２ｐに分離する。各ビームは波長および偏光状態の特有の組合せを有する。各波長の偏光状態は互いに直交する。各ビームは波長および偏光状態の特有の組合せにより特徴付けられる。
【００２５】
各波長の偏光状態は互いに直交する。次に各ビームは単一ＴＤＧ変調器表面４の別々の変調部分に入射する。電極３Ｒ１ｓ，３Ｒ１ｐ，３Ｇ１ｓ，３Ｇ１ｐ，３Ｂ１ｓ，３Ｂ１ｐ，３Ｒ２ｓ，３Ｒ２ｐ，３Ｇ２ｓ，３Ｇ２ｐ，３Ｂ２ｓ，３Ｂ１に印加した電圧から得られる異なる格子パターンにより、回折レーザ光ビームの角度をそれぞれ制御することができる。図３に示す投影システムの場合と同様の投影光学素子を用いて、４つの重なる二次元映像を偏光保持スクリーン上に投影する。人が受動フィルタリング・メガネをかけて見ると三次元映像が作られる。メガネの個々のガラスは異なる波長と異なる偏光状態の組合わせを通す。
【００２６】
或る人の右目（例えば）は色と偏光の組合せ（例えば、１６Ｒ１ｓ，１６Ｇ１ｓ，１６Ｂ１ｓ）で作られる映像を見、左目は色と偏光の組合せ（例えば、１６Ｒ２ｓ，１６Ｇ２ｓ，１６Ｂ２ｓ）で作られる映像を見る。異なるメガネをかけている別の人の右目は色と偏光の組合せ（例えば、１６Ｒ１ｐ，１６Ｇ１ｐ，１６Ｂ１ｐ）で作られる映像を見、左目は色と偏光の組合せ（例えば、１６Ｒ２ｐ，１６Ｇ２ｐ，１６Ｂ２ｐ）で作られる映像を見る。右目の映像とは異なる映像を左目が見ると、立体効果により見る人毎の三次元映像が作られる。４つの異なる二次元映像が重なるので、異なるメガネをかけている人に２つの異なる三次元映像を提示することができる。これは多くの応用に用いることができる。例えば、情報を含む個々の映像を異なる人のグループに提示するマルチタスクや、プレゼンタが聴衆より多くの映像内容にアクセスできる「プレゼンタ・モード」の場合などである。
【００２７】
本発明の一態様では、ＴＤＧ変調器の特性を用いて、表示すべき映像を構成する光の各状態に関する少なくとも２つの電極のグループを設け、各電極グループにそれぞれ適当な電圧を印加し、各回折レーザ光ビームの角度を制御した後、例えば、ディスプレイ光学素子およびスキャニング・ミラー配列を通す。本発明の実施の形態の別の例では、各回折光ビームの角度をその回折光ビームに関する電極パターンの配置によりそれぞれ制御する。
【図１】
2010511913.tif 000003
【図２】
2010511913.tif 000004
【図３】
2010511913.tif 000005
【図４】
2010511913.tif 000006
【図５】
2010511913.tif 000007
【国際調査報告】
2010511913.tif 000008
2010511913.tif 000009
2010511913.tif 000010